(57)【要約】【課題】  両面表示装置でメイン用ドライバＩＣをメインパネルとサブパネルに並列接続した場合に、メインパネルとサブパネルが同時表示する。【解決手段】  メイン用とサブ用のバックライトを配置し、表示する側のバックライトのみを点灯することで、同時表示を解決した。また、フレーム毎にメインとサブの表示を書き換え、バックライトの点灯を切り替えることで、メインとサブに異なる表示をすることができる。【選択図】  図１
2006195376.tif 000002
【特許請求の範囲】
【請求項１】
第一の表示パネルと第二の表示パネルと第一のバックライトと第二のバックライトとドライバＩＣを備える両面表示装置であって、
前記ドライバＩＣから出力した駆動信号は、前記第一及び第二の表示パネルには並列に同一の駆動信号をそれぞれに供給する構成であり、前記ドライバＩＣから駆動信号を出力して前記第一および第二の表示パネルを同時駆動したときに、前記第一の表示パネルを表示するときには前記第一の表示パネルの背面にある前記第一のバックライトを点灯し、前記第二の表示パネルを表示するときには、前記第二の表示パネルの背面にある前記第二のバックライトを点灯することにより表示を切り替えることを特徴とする両面表示装置。
【請求項２】
前記第一の表示パネルと前記第二の表示パネルの画像データーを１フレーム毎に書き換えて表示し、前記フレームと同期して、前記第一の表示パネルの画像データーを表示したときには前記第一のバックライトを点灯し、前記第二の表示パネルの画像データーを表示したときには前記第二のバックライトを点灯することを特徴とする請求項１に記載の両面表示装置。
【発明の詳細な説明】
【技術分野】
【０００１】
本発明は、パッシブマトリクス液晶パネルやアクティブマトリクス液晶パネルなどの表示パネルが両面に配置された両面パネルを備えた表示装置、およびこのような表示装置を用いた携帯電話に関する。
【背景技術】
【０００２】
従来の表示装置、例えば、ＳＴＮ型液晶表示装置は、セグメント電極を形成した透明基板とコモン電極を形成した透明基板を対向してマトリクス状に配置して、液晶を挟んで保持した構成である。各電極に時分割で電圧を印加することにより画面を駆動する。セグメント信号とコモン信号はそれぞれ異なり、ドットマトリクスを構成する電極毎にドライバＩＣの出力電極を接続して、信号を印加する。画素数が１６０×１２８ドット程度であれば、セグメント信号とコモン信号を出力するドライバＩＣを１チップで構成しているが、それ以上の画面の画素数では、セグメントとコモンのドライバＩＣにはそれぞれの専用のドライバを使用する。ドライバＩＣの駆動信号の出力数と画素数の関係に応じて、複数のドライバＩＣを使用することもある。
【０００３】
また、ＴＦＴ型液晶表示装置は、画素となる透明電極にトランジスタを内蔵しそのトランジスタのソース電極とゲート電極を形成した基板と、全ての画素に共通したＶｃｏｍ電極を形成した基板とを対向し、液晶を挟んで保持した構成である。ゲート信号で書き込むトランジスタを選択し、ソース信号により画像信号を画素に書き込み、Ｖｃｏｍ電極との電位差で液晶を駆動する。
【０００４】
近年携帯電話は、二つに開くシェルタイプが多く採用されており、表示画面として、メイン画面と背面のサブ画面が搭載され、二つの画面が両面に表示される形態（以下、両面パネルと称す）が増えている。二つの画面は、別々の表示パネルで構成されており、その表示パネルを駆動するＩＣもそれぞれに実装して画面を駆動する方法と、二つの表示画面のサイズを足した画素数に対応したドライバＩＣ１個で二つの画面を駆動する方法が知られている（例えば、特許文献１参照）。この方法は例えばＴＦＴ型液晶の場合、ソース信号をメインの表示パネルに接続した辺と対向する辺から信号を引き出し、サブの表示パネルにフィルム基板で接続しソース信号を共用した。また、ゲート電極は、ソース信号の接続端子の両側に配置し、メインの表示パネルで使用するゲート電極のさらに両側にサブ画面専用のゲート信号をメインの表示パネルに接続し、メインの表示パネルの外周を経由してサブの表示パネルにソース信号と同様に接続して、二つの画面を駆動した。または、ＩＣから出力した信号をメインパネルに接続した端子で分岐して、例えばフレキシブル基板でサブパネルに接続する方法では、ソース信号だけではなくゲート信号も共用することができる。
【特許文献１】特開２０００−３３８４８３号公報（第２頁、第１図）
【発明の開示】
【発明が解決しようとする課題】
【０００５】
しかしながら、１チップでソース信号およびゲート信号を共有して駆動する両面パネルでは、メインパネルとサブパネルに同じ信号が印加されるため、メインパネルとサブパネルが同時点灯することになる。そのため、携帯電話をメインパネル側から操作しているときに、周囲の人がサブパネルに表示した画像を見ることができるため、セキュリティーが守れなかった。そこで、本発明は、メインパネルを表示しているときに、サブパネルを全黒もしくは全白にして、実質的に表示をＯＦＦ状態に見せる両面表示装置を提供する事にある。
【課題を解決するための手段】
【０００６】
そこで、メインパネル用とサブパネル用の２つのバックライトを、メインパネルを使用時にはメイン用バックライトを点灯し、サブパネル用バックライトをＯＦＦにすることでサブパネルの表示画面を見えなくするようにした。また、サブパネルを表示するときは、サブパネル用バックライトを点灯し、メインパネル用バックライトをＯＦＦにした。この場合のメインパネルおよびサブパネル共に透過型液晶が望ましい。
【０００７】
また、メインパネルとサブパネルに同時に異なる表示画像を表示するときには、メインパネル用画像とサブパネル用画像を順に書き換えてパネルに表示し、それと同期して、メイン用バックライトとサブ用バックライトが点灯するようにした。
【発明の効果】
【０００８】
一つのドライバＩＣによってメインパネルとサブパネルの２つの表示を切り替えられることができるまま、従来必要であったサブパネル用ドライバＩＣ及び周辺回路部品が不要となった。よって安価な両面表示装置を提供できるようになった。また、部品の削減に伴い、スペースが得られ、例えばカメラモジュールの配置や、サブパネルの大型化など製品設計に自由度が増し、魅力ある製品提供ができるようになった。
【発明を実施するための最良の形態】
【０００９】
本発明による両面表示装置は、メインパネルとサブパネルとメインパネル用のバックライトとサブパネル用のバックライトとドライバＩＣを備える両面表示装置であって、ドライバＩＣから出力した駆動信号は、メインパネル及びサブパネルには並列に同一の駆動信号をそれぞれに供給する構成である。メインパネルよりサブパネルの画素が少ない場合は、必要な信号のみサブパネルに接続する。
【００１０】
ドライバＩＣから駆動信号を出力してメインパネルおよびサブパネルを同時駆動したときに、メインパネルを表示するときにはメインパネルの背面にあるメイン用のバックライトを点灯する。そして、サブパネルの背面にあるサブ用のバックライトをＯＦＦにしておく。サブパネルを表示するときには、サブパネル用のバックライトを点灯しメイン用バックライトを消灯することにより観察できる表示を切り替える。
【００１１】
メインパネルとサブパネルに異なる画像を同時に表示する場合には、メインパネルとサブパネルの画像データーを順に書き換えて表示し、メインパネル用バックライトとサブパネル用バックライトは、書き換えデーターと同期して点灯する。メインパネルの画像データーを表示したときには、メインパネル用バックライトを点灯しサブパネル用バックライトを消灯しておく。サブパネルの画像データーを表示したときにはサブパネル用のバックライトを点灯しメインパネル用のバックライトを消灯する。こうすることで、メインパネルとサブパネルに異なる画像を表示する。
【実施例１】
【００１２】
以下に本発明の実施例を図面に基づいて説明する。図１は、本発明の両面表示装置の側面図である。メインパネル１はＴＦＴ方式の液晶パネルであり、３２０×２４０ドットである。１ドットはＲＢＧの画素からなる。同様にサブパネル２もＴＦＴ方式の液晶パネルである。１２８×１２８ドットである。液晶ドライバ３は、ＦＰＣ４にＩＬＢ実装し、異方性導電膜でメインパネル１に接続している。その接続部に隣接してＦＰＣ５が同様に異方性導電膜で接続している。ＦＰＣ５は、サブパネル２の画素数分の信号をサブパネル２に異方性導電膜で接続している。
【００１３】
メインパネル用バックライトは、導光板１０、拡散フィルム９、光を集光する第一のレンズフィルム８、このレンズフィルム８と直交した方向の光を集光する第二のレンズフィルム７、導光板側面に配置された光源であるＬＥＤ１１、及び、裏面に漏れる光を反射する反射板１２を備えており、バックライトとメインパネルは遮光両面テープ６で固定されている。サブパネル用バックライトは、メインパネル用バックライトと同様に、導光板１３、拡散板１５、第一のレンズフィルム１６、第二のレンズフィルム１７、及び、導光板の側面に配置された光源であるＬＥＤ１４を備えており、サブパネルとバックライトは遮光テープ１８で固定されている。裏面に漏れる光を反射する反射板はメインパネルで使用している反射板１２で兼用している。この構成において、液晶ドライバＩＣ３から出力した信号は、メインパネル１とサブパネル２に並列に供給される。メインパネルを表示するときには、３２０×２４０の画像信号をドライバＩＣ３から出力して、メインパネル１とサブパネル２を同時に表示する。そして、メインパネル用バックライトのＬＥＤ１１を点灯することでメインパネルの表示が観察できる。このとき、サブパネル用ＬＥＤ１４を消灯状態とすることにより、サブパネルの表示を観察することができなくなるため、サブパネルの表示は黒状態として視認される。
【００１４】
一方、サブパネルを表示するときには、１２８×１２８の画像信号をドライバＩＣ３から出力してメインパネルとサブパネルを同時に表示する。このときサブ用ＬＥＤ１４を点灯してサブパネルの表示が観察できるようにする。このとき、メインパネル用ＬＥＤ１１を消灯状態とすることにより、メインパネルの表示を観察することができなくなり、メインパネルの表示は黒状態として視認される。バックライトの構成は、これに限ったものではない。
【実施例２】
【００１５】
本実施例の両面表示装置も基本的な構成は実施例１と同様であるが、メインパネルとサブパネルの画面を１フレーム毎に切り替えて表示をする。ドライバＩＣのフレーム周波数は１２０Ｈｚで画面を駆動する。液晶応答速度は７ｍｓｅｃ以下が望ましい。画像データーは、メインパネルの画像とサブパネルの画像を１フレーム毎に書き換えて表示する。メインパネルの画像を表示するタイミングでメインパネルのバックライトを点灯する。このときサブパネルのバックライトはＯＦＦである。次にサブパネルの画像を表示する。このとき、メインパネルのバックライトを消灯し、サブパネルのバックライトを点灯する。これを１フレーム毎に繰り返す。こうすることで、メインパネルとサブパネルで異なる画像の表示を観察することができる。
【００１６】
サブパネルに、半透過型を使った場合、メインパネルの画像を表示したときにサブパネルのバックライトを消灯する。このときメインパネルの画像が反射で表示する。サブパネルは全グレー表示にする。サブ用バックライトも同様に点灯する。この画像の組み合わせで、サブパネルの反射の画像が実質見えにくくなり、セキュリティーが確保される。
【図面の簡単な説明】
【００１７】
【図１】本発明の両面表示装置の構成を示す模式図である。
【図２】従来の両面表示装置の構成を示す模式図である。
【符号の説明】
【００１８】
１  メインパネル
２  サブパネル
３  ドライバＩＣ
４  ＦＰＣ
５  ＦＰＣ
６  遮光テープ
７  第二のレンズフィルム
８  第一のレンズフィルム
９  拡散フィルム
１０  導光板
１１  ＬＥＤ
１２  反射板
１３  導光板
１４  ＬＥＤ
１５  拡散板
１６  第一のレンズフィルム
１７  第二のレンズフィルム
１８  遮光テープ
【図１】
2006195376.tif 000003
【図２】
2006195376.tif 000004